【手続補正書】
【提出日】平成18年12月15日(2006.12.15)
【手続補正１】
【補正対象書類名】特許請求の範囲
【補正対象項目名】全文
【補正方法】変更
【補正の内容】
【特許請求の範囲】
【請求項１】
シート上に画像を形成する画像形成手段と、シート上に形成された画像を定着する定着装置であって、加熱手段を有する定着装置と、該定着装置を駆動する定着駆動手段と、シートを搬送するシート搬送手段と、を備えた画像形成装置において、
前記定着装置のシート搬送方向の下流側でシートの有無を検知する検知手段と、
前記定着駆動手段を急停止させるブレーキ手段と、
前記画像形成手段によって画像形成されて、前記定着装置に搬送されたシートが前記検知手段で検知できなかった場合に、前記ブレーキ手段により前記定着駆動手段を急停止させる制御手段と、を備えたことを特徴とする画像形成装置。
【請求項２】
前記制御手段は、搬送されたシートが前記検知手段で検知できず、かつシートがシート搬送手段では搬送されておらず、前記定着装置でのみ搬送されている場合に、前記ブレーキ手段により前記定着駆動手段を急停止させることを特徴とする請求項１記載の画像形成装置。
【請求項３】
シート上に画像を形成する画像形成手段と、シート上に形成された画像を定着する定着装置であって、加熱手段を有する定着装置と、該定着装置を駆動する定着駆動手段と、シートを搬送するシート搬送手段と、を備えた画像形成装置において、
前記定着装置のシート搬送方向の下流側でシートの有無を検知する検知手段と、
前記定着駆動手段を逆回転させる逆回転手段と、
前記画像形成手段によって画像形成されて、前記定着装置に搬送されたシートが前記検知手段で検知できなかった場合に、前記逆回転手段により前記定着駆動手段を逆回転させる制御手段と、を備えたことを特徴とする画像形成装置。
【請求項４】
前記制御手段は、搬送されたシートが前記検知手段で検知できず、かつ前記定着駆動手段の停止時にシートの後端部が前記定着装置内に入ってしまう可能性がある場合に、前記逆回転手段により前記定着駆動手段を逆回転させることを特徴とする請求項３記載の画像形成装置。
【請求項５】
シート上に画像を形成する画像形成手段と、シート上に形成された画像を定着する定着装置であって、加熱手段及び互いに圧接する定着ローラと加圧ローラを有する定着装置と、前記加圧ローラを駆動する定着駆動手段と、シートを搬送するシート搬送手段と、を備えた画像形成装置において、
前記定着装置のシート搬送方向の下流側でシートの有無を検知する検知手段と、
前記定着ローラと加圧ローラを離間させる離間手段と、
前記画像形成手段によって画像形成されて、前記定着装置に搬送されたシートが前記検知手段で検知できなかった場合に、前記離間手段により定着ローラと加圧ローラを離間させる制御手段と、を備えたことを特徴とする画像形成装置。
【手続補正２】
【補正対象書類名】明細書
【補正対象項目名】発明の名称
【補正方法】変更
【補正の内容】
【発明の名称】画像形成装置
【手続補正３】
【補正対象書類名】明細書
【補正対象項目名】０００１
【補正方法】変更
【補正の内容】
【０００１】
本発明は、定着装置を備えた画像形成装置、特に定着装置内のローラを駆動するモータの制御の仕方を改善した画像形成装置に関するものである。
【手続補正４】
【補正対象書類名】明細書
【補正対象項目名】００１６
【補正方法】変更
【補正の内容】
【００１６】
本発明は、上記のような問題点に鑑みてなされたもので、シートがジャムしたときの後処理が容易な画像形成装置を提供することを目的としている。
【手続補正５】
【補正対象書類名】明細書
【補正対象項目名】００１７
【補正方法】変更
【補正の内容】
【００１７】
上記の目的を達成するため、本発明では、画像形成装置を次の（１）ないし（５）のとおりに構成する。
（１）シート上に画像を形成する画像形成手段と、シート上に形成された画像を定着する定着装置であって、加熱手段を有する定着装置と、該定着装置を駆動する定着駆動手段と、シートを搬送するシート搬送手段と、を備えた画像形成装置において、
前記定着装置のシート搬送方向の下流側でシートの有無を検知する検知手段と、
前記定着駆動手段を急停止させるブレーキ手段と、
前記画像形成手段によって画像形成されて、前記定着装置に搬送されたシートが前記検知手段で検知できなかった場合に、前記ブレーキ手段により前記定着駆動手段を急停止させる制御手段と、を備えた画像形成装置。
（２）前記制御手段は、搬送されたシートが前記検知手段で検知できず、かつシートがシート搬送手段では搬送されておらず、前記定着装置でのみ搬送されている場合に、前記ブレーキ手段により前記定着駆動手段を急停止させる前記（１）記載の画像形成装置。
（３）シート上に画像を形成する画像形成手段と、シート上に形成された画像を定着する定着装置であって、加熱手段を有する定着装置と、該定着装置を駆動する定着駆動手段と、シートを搬送するシート搬送手段と、を備えた画像形成装置において、
前記定着装置のシート搬送方向の下流側でシートの有無を検知する検知手段と、
前記定着駆動手段を逆回転させる逆回転手段と、
前記画像形成手段によって画像形成されて、前記定着装置に搬送されたシートが前記検知手段で検知できなかった場合に、前記逆回転手段により前記定着駆動手段を逆回転させる制御手段と、を備えた画像形成装置。
（４）前記制御手段は、搬送されたシートが前記検知手段で検知できず、かつ前記定着駆動手段の停止時にシートの後端部が前記定着装置内に入ってしまう可能性がある場合に、前記逆回転手段により前記定着駆動手段を逆回転させる前記（３）記載の画像形成装置。
（５）シート上に画像を形成する画像形成手段と、シート上に形成された画像を定着する定着装置であって、加熱手段及び互いに圧接する定着ローラと加圧ローラを有する定着装置と、前記加圧ローラを駆動する定着駆動手段と、シートを搬送するシート搬送手段と、を備えた画像形成装置において、
前記定着装置のシート搬送方向の下流側でシートの有無を検知する検知手段と、
前記定着ローラと加圧ローラを離間させる離間手段と、
前記画像形成手段によって画像形成されて、前記定着装置に搬送されたシートが前記検知手段で検知できなかった場合に、前記離間手段により定着ローラと加圧ローラを離間させる制御手段と、を備えた画像形成装置。
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】